(57)【要約】【課題】無線通信端末のハンドオフ方法に関し、特に不必要なアイドルハンドオフを低減できる無線通信端末及びそのハンドオフ方法に関する。【解決手段】基地局から送信される信号の品質を測定する測定手段と、該測定手段の測定結果とハンドオフの判定基準とに基づいてハンドオフを行うか否かの判定をする判定手段と、該判定手段の判定結果に基づいてハンドオフを行うハンドオフ手段と、を備え、前記判定手段は、前記ハンドオフ手段によりハンドオフが所定の繰返しパターンで行われたときは、前記ハンドオフの判定基準を変更することを特徴とする。【選択図】    図１
2004228705.tif 000002
【特許請求の範囲】
【請求項１】
基地局から送信される信号の品質を測定する測定手段と、
該測定手段の測定結果とハンドオフの判定基準とに基づいてハンドオフを行うか否かの判定をする判定手段と、
該判定手段の判定結果に基づいてハンドオフを行うハンドオフ手段と、を備え、
前記判定手段は、前記ハンドオフ手段によりハンドオフが所定の繰返しパターンで行われたときは、前記ハンドオフの判定基準を変更することを特徴とする無線通信端末。
【請求項２】
前記判定手段は、２つのパイロット信号を繰返して捕捉する場合に前記ハンドオフ判定基準を変更することを特徴とする請求項１に記載の無線通信端末。
【請求項３】
前記繰返し捕捉する２つのパイロット信号の品質が所定値以上の場合に前記ハンドオフ判定基準を変更することを特徴とする請求項２に記載の無線通信端末。
【請求項４】
ハンドオフする毎に前回パイロット信号を捕捉していた時間を検出する検出手段を備え、
前記判定手段は、前記検出手段が検出した時間に基づいて前記ハンドオフ判定基準を変更することを特徴とする請求項１に記載の無線通信端末。
【請求項５】
前記判定手段は、ハンドオフ処理を行った直後は、前記測定手段の測定結果を時間平均した値に基づいてハンドオフを行うか否かの判定を行い、
ハンドオフ処理を行ってから所定期間経過後は、前記測定手段の測定結果を回数平均した値に基づいてハンドオフを行うか否かの判定を行うことを特徴とする請求項１に記載の無線通信端末。
【請求項６】
ｃｄｍａ２０００  １ｘ方式と１ｘＥＶＤＯ方式との両方式で待ち受け可能な無線通信端末であって、前記判定手段はｃｄｍａ２０００  １ｘ方式のハンドオフの判定手段に用いられることを特徴とする請求項１乃至５に記載の無線通信端末。
【請求項７】
第１の通信方式と第２の通信方式とを使用して各々の通信方式において基地局と無線通信を行うと共に両方式で待ち受け可能の無線通信端末のハンドオフ判定方法であって、
基地局から送信される信号の品質を測定し、
該測定結果とハンドオフの判定基準とに基づいてハンドオフを行うか否かの判定をし、
該判定結果に基づいてハンドオフを行い、
前記ハンドオフ手段によりハンドオフが所定の繰返しパターンで行われたときは、前記ハンドオフの判定基準を変更することを特徴とするハンドオフ判定方法。
【請求項８】
２つのパイロット信号を繰返して捕捉する場合は前記ハンドオフ判定基準を変更することを特徴とする請求項７に記載のハンドオフ判定方法。
【請求項９】
前記繰返し捕捉する２つのパイロット信号の品質が所定値以上の場合に前記ハンドオフ判定基準を変更することを特徴とする請求項８に記載のハンドオフ判定方法。
【請求項１０】
ハンドオフする毎に前回パイロット信号を捕捉していた時間を検出し、
該検出した時間に基づいて前記ハンドオフ判定基準を変更することを特徴とする請求項７に記載のハンドオフ判定方法。
【請求項１１】
ハンドオフ処理を行った直後は、基地局から送信される信号の品質の測定結果を時間平均した値に基づいてハンドオフを行うか否かの判定を行い、
ハンドオフ処理を行ってから所定期間経過後は、基地局から送信される信号の品質の測定結果を回数平均した値に基づいてハンドオフを行うか否かの判定を行うことを特徴とする請求項７に記載のハンドオフ判定方法。
【請求項１２】
ｃｄｍａ２０００  １ｘ方式と１ｘＥＶＤＯ方式との両方式で待ち受け可能な無線通信端末に用いられるハンドオフ判定方法であって、ｃｄｍａ２０００  １ｘ方式のハンドオフを行うか否かを判定することを特徴とする請求項７乃至１１に記載のハンドオフ判定方法。
【発明の詳細な説明】
【０００１】
【発明の属する技術分野】
本発明は無線通信端末に関し、特に不必要なアイドルハンドオフを低減できる無線通信端末及びそのハンドオフ方法に関する。
【０００２】
【従来の技術】
基地局と通信を行っている無線通信端末が、空きスロットを利用して基地局の通信品質（受信電波強度、信号電力対干渉電力比（ＳＩＲ）値、誤り率等）を測定し、測定結果に基づいて別の基地局に対してハンドオフを行う無線通信端末が知られている。このハンドオフは、無線通信端末がハンドオフ後の新たな基地局に対して端末の登録などの処理を行うためにいくつかのメッセージの交換を行う必要がある。
【０００３】
【特許文献１】
特公平５―７３２９７号公報
【０００４】
【発明が解決しようとする課題】
特に、無線通信端末が待ち受け中に行うハンドオフ（アイドルハンドオフ）では、現在待ち受けを行っている基地局よりも別の基地局の通信品質が良好となった場合、無線通信端末はアイドルハンドオフが必要と判断し、通信品質が良好な別の基地局に対してアイドルハンドオフを行う。このとき、例えば２つの基地局の通信品質が拮抗しており、短時間に２つの通信品質が頻繁に入れ替わるような場合にはアイドルハンドオフが頻繁に発生してしまう（図４参照）。また、一方の基地局（Ａ）の通信品質が他の基地局（Ｂ）の通信品質と比較して充分に良い場合でも、測定時に電波の瞬断等によって基地局（Ａ）の通信品質がきわめて劣化すると、基地局（Ｂ）の通信品質が基地局（Ａ）よりも良くなるのでアイドルハンドオフが発生するが、基地局（Ａ）の通信品質が直ちに回復し再びアイドルハンドオフが発生してしまう（図５参照）。
【０００５】
本発明は上記の問題点を鑑みてなされたものであり、複数の基地局又はセクタの通信品質が拮抗しており、短時間に通信品質が頻繁に入れ替わる場合においても、アイドルハンドオフの発生頻度を少なくする無線通信端末を提供することを目的とする。
【０００６】
【課題を解決するための手段】
第１の発明は、第１の通信方式と第２の通信方式とを使用して各々の通信方式において基地局と無線通信を行うと共に両方式で待ち受け可能の無線通信端末において、基地局から送信される信号の品質を測定する測定手段と、該測定手段の測定結果とハンドオフの判定基準とに基づいてハンドオフを行うか否かの判定をする判定手段と、該判定手段の判定結果に基づいてハンドオフを行うハンドオフ手段と、を備え、前記判定手段は、前記ハンドオフ手段によりハンドオフが所定の繰返しパターンで行われたときは、前記ハンドオフの判定基準を変更することを特徴とする。
【０００７】
第２の発明は、第１の発明において、前記判定手段は、２つのパイロット信号を繰返し捕捉する場合に前記ハンドオフ判定基準を変更することを特徴とする。
【０００８】
第３の発明は、第１の発明において、前記繰返し捕捉する２つのパイロット信号の品質が所定値以上の場合に前記ハンドオフ判定基準を変更することを特徴とする。
【０００９】
第４の発明は、第１の発明において、ハンドオフする毎に前回パイロット信号を捕捉していた時間を検出する検出手段を備え、前記判定手段は、前記検出手段が検出した時間に基づいて前記ハンドオフ判定基準を変更することを特徴とする。
【００１０】
第５の発明は、第１の発明において、前記判定手段は、ハンドオフ処理を行った直後は、前記測定手段の測定結果を時間平均した値に基づいてハンドオフを行うか否かの判定を行い、ハンドオフ処理を行ってから所定期間経過後は、前記測定手段の測定結果を回数平均した値に基づいてハンドオフを行うか否かの判定を行うことを特徴とする。
第６の発明は、第１から５の発明において、ｃｄｍａ２０００  １ｘ方式と１ｘＥＶＤＯ方式との両方式で待ち受け可能な無線通信端末であって、前記判定手段はｃｄｍａ２０００  １ｘ方式のハンドオフの判定手段に用いられることを特徴とする。
【００１１】
第７の発明は、第１の通信方式と第２の通信方式とを使用して各々の通信方式において基地局と無線通信を行うと共に両方式で待ち受け可能の無線通信端末のハンドオフ判定方法であって、基地局から送信される信号の品質を測定し、該測定結果とハンドオフの判定基準とに基づいてハンドオフを行うか否かの判定をし、該判定結果に基づいてハンドオフを行い、前記ハンドオフ手段によりハンドオフが所定の繰返しパターンで行われたときは、前記ハンドオフの判定基準を変更することを特徴とする。
【００１２】
第８の発明は、第７の発明において、２つのパイロット信号を繰返し捕捉する場合に前記ハンドオフ判定基準を変更することを特徴とする。
【００１３】
第９の発明は、第８の発明において、前記繰返し捕捉する２つのパイロット信号の品質が所定値以上の場合に前記ハンドオフ判定基準を変更することを特徴とする。
【００１４】
第１０の発明は、第７の発明において、ハンドオフする毎に前回パイロット信号を捕捉していた時間を検出し、該検出した時間に基づいて前記ハンドオフ判定基準を変更することを特徴とする。
【００１５】
第１１の発明は、第７の発明において、ハンドオフ処理を行った直後は、基地局から送信される信号の品質の測定結果を時間平均した値に基づいてハンドオフを行うか否かの判定を行い、ハンドオフ処理を行ってから所定期間経過後は、基地局から送信される信号の品質の測定結果を回数平均した値に基づいてハンドオフを行うか否かの判定を行うことを特徴とする。
第１２の発明は、第７から１１の発明において、ｃｄｍａ２０００  １ｘ方式と１ｘＥＶＤＯ方式との両方式で待ち受け可能な無線通信端末に用いられるハンドオフ判定方法であって、ｃｄｍａ２０００  １ｘ方式のハンドオフを行うか否かを判定することを特徴とする。
【００１６】
【発明の実施の形態】
以下に、本発明の実施の形態を図面を参照して説明する。
【００１７】
図１は、本発明の第１の実施の形態の無線通信端末の構成を表したブロック図である。
【００１８】
本実施の形態の無線通信端末は、ｃｄｍａ２０００  １ｘ方式の通信システムと１ｘＥＶＤＯ（１ｘ  Ｅｖｏｌｕｔｉｏｎ  Ｄａｔａ  Ｏｎｌｙ）方式の通信システムとを選択的に切り替えて基地局１００Ａと基地局１００Ｂとの間をハンドオフを行って移動しながら通信をすることのできる無線通信端末である。
【００１９】
アンテナ１０は無線部２０からの高周波信号を基地局１００Ａ、１００Ｂに送信し、また、基地局１００Ａ、１００Ｂからの電波を受信して無線部２０に高周波信号として送る。
【００２０】
無線部２０は、アンテナ１０から送られた高周波信号をベースバンド信号に変換し切替部３０を経由して、無線処理部４０、５０に送り、また、無線処理部４０、５０から切替部３０を経由して送られたベースバンド信号を高周波信号に変換しアンテナ１０へ送る。
【００２１】
切替部３０は、１ｘＥＶＤＯ無線処理部４０又はｃｄｍａ２０００  １ｘ無線処理部５０からのベースバンド信号を選択的に無線部２０に送り、また無線部２０からのベースバンド信号を選択的に１ｘＥＶＤＯ無線処理部４０又はｃｄｍａ２０００  １ｘ無線処理部５０に送る。
【００２２】
１ｘＥＶＤＯ無線処理部４０は、１ｘＥＶＤＯ形式で送信されたデータ信号をベースバンド信号に変換し、切替部３０を経由して無線部２０に送る。また、無線部２０から切替部３０を経由して送られてきたベースバンド信号を１ｘＥＶＤＯ形式のデータ信号に変換する。
【００２３】
ｃｄｍａ２０００  １ｘ無線処理部５０は、１ｘＥＶＤＯ無線処理部４０と同様に、ｃｄｍａ２０００  １ｘ形式で送信されたデータ又は音声信号をベースバンド信号に変換し、切替部３０を経由して無線部２０に送る。また、無線部２０から切替部３０を経由して送られてきたベースバンド信号をｃｄｍａ２０００  １ｘ形式のデータ又は音声信号に変換する。
【００２４】
ハイブリッド部６０は、１ｘＥＶＤＯ及びｃｄｍａ２０００  １ｘの２つの通信システムを選択的に切り替えて２つの通信システムを制御する制御部であり、切替部３０、１ｘＥＶＤＯ無線処理部４０及びｃｄｍａ２０００  １ｘ無線処理部５０にそれぞれ接続され各々の切り替えを制御する。特に、待受中は、所定の時間間隔で２つの通信システムを選択的に動作させて、両通信システムにおいて基地局１００Ａ、１００Ｂからの呼び出しを待ち受ける。またこのハイブリッド部６０にはメモリ７０、表示部８０、外部Ｉ／Ｏ９０が接続されている。
【００２５】
メモリ７０は、無線通信端末の制御用プログラムや通信データ等を要求に応じて書き込み又は読み出しを行うことのできる記憶部である。
【００２６】
表示部８０は、主にＬＣＤディスプレイ等によって構成され、無線通信端末の状態や通信データの表示等を行う表示部である。
【００２７】
外部Ｉ／Ｏ９０は、無線通信端末を他のパソコンやＰＤＡ等の外部機器に接続し、各種データの送受信を行うことのできるインターフェイスである。
【００２８】
次に、上記のように構成された本発明の第１の実施の形態の無線通信端末の動作について説明する。
【００２９】
第１の実施の形態の無線通信端末では、２つのパイロット信号Ａ及びＢの通信品質（Ｃ／Ｉ値）がいずれも通信を行うのに充分高く、さらに２つのＣ／Ｉ値が拮抗している状態で頻繁に発生するアイドルハンドオフ（図４参照）の頻度を下げるように構成した。より具体的には、アイドルハンドオフを行うか否かの判定に用いる閾値を変更するよう処理を行う。
【００３０】
図２に、このアイドルハンドオフの頻度を下げるためのアイドルハンドオフの閾値の設定の手順を示す。
【００３１】
まず、現在の見ているパイロット信号をｎ、直前のアイドルハンドオフが発生する前のパイロット信号をｎ−１、２つ前のアイドルハンドオフが発生する前のパイロット信号をｎ−２・・・とする。
【００３２】
この現在の見ているパイロット信号ｎ、２つ前のパイロット信号ｎ−２及び４つ前のパイロット信号ｎ−４とが等しいか否かを判定する（ステップ１０１）。現在のパイロット信号ｎ、２つ前のパイロット信号ｎ−２及び４つ前のパイロット信号ｎ−４と全てが等しければステップ１０２に移行し、現在のパイロット信号ｎ、２つ前のパイロット信号ｎ−２、４つ前のパイロット信号ｎ−４のいずれかが異なるものであればステップ１０５に移行して通常のアイドルハンドオフの閾値に設定して処理を終了する。
【００３３】
ステップ１０２では、１つ前のパイロット信号ｎ−１、３つ前のパイロット信号ｎ−３及び５つ前のパイロット信号ｎ−５とが等しいか否かを判定する。１つ前のパイロット信号ｎ−１、３つ前のパイロット信号ｎ−３及び５つ前のパイロット信号ｎ−５の全てが等しければステップ１０３に移行する。一方、１つ前のパイロット信号ｎ−１と、３つ前のパイロット信号ｎ−３、５つ前のパイロット信号ｎ−５のいずれかが異なるものであればステップ１０５に移行して通常のアイドルハンドオフの閾値に設定して処理を終了する。
【００３４】
すなわち、図２に示す閾値設定処理では、ステップ１０１、１０２において、繰り返し同一のパイロット信号にハンドオフされていることを判定している。
【００３５】
次に、ステップ１０３では、現在のパイロット信号のＣ／Ｉ値（Ａ）と１つ前のパイロット信号のＣ／Ｉ値（Ｂ）とが予め設定した値αよりも大きいか否かを判定し、２つのパイロット信号のＣ／Ｉ値が共にαよりも大きければステップ１０４に移行する。これは、２つのパイロット信号のＣ／Ｉ値が通信を行うのに充分に大きければ、両パイロット信号の品質は共に良好であり、一方のパイロット信号とだけ通信を行えばよく、アイドルハンドオフを行う必要がないためである。なお、２つのパイロット信号のＣ／Ｉ値がαよりも小さい場合は、少しでも良いパイロット信号の方と通信を行った方が通信のスループットが向上するので、通常のアイドルハンドオフの閾値に設定する（ステップ１０５）。このαの値はアイドルハンドオフの頻度とＣ／Ｉ値の関係によりもっとも通信のスループットが良くなるように予め実験等により求めておく。
【００３６】
次に、アイドルハンドオフを行うか否かを判定するための閾値を変更する。すなわち、上記ステップ１０１乃至１０３の処理において、２つのパイロット信号が少なくとも２度交互にアイドルハンドオフによって入れ替わり、かつ２つのパイロット信号の電波のＣ／Ｉ値がαよりも充分に大きい場合には、これ以上頻繁にアイドルハンドオフが発生しないような値にアイドルハンドオフの閾値を変更する（ステップ１０４）。例えば、通常のアイドルハンドオフを行うか否かの判定に用いる閾値がγであるとすると、γに所定の値Ｘを加算した値γ’をアイドルハンドオフを行うか否かの判定に用いる。
【００３７】
なお、上記のステップ１０１及び１０２では、パイロット信号Ａとパイロット信号Ｂの切り替わりが２度繰り返されたか否かを判断しているが、これを１度の繰り返しで判断してもよい。
【００３８】
上記のように構成された第１の実施の形態の無線通信端末では、２つのパイロット信号のＣ／Ｉ値が拮抗いる状態において頻繁に発生するアイドルハンドオフの頻度を少なくするために、２つのパイロット信号のＣ／Ｉ値が所定の値より大きく、かつ、所定回数繰り返されるようなアイドルハンドオフの発生を検出した場合に、アイドルハンドオフの判定閾値をアイドルハンドオフの発生を少なくするように変更した。これにより、基地局及び無線通信端末の負担を減らすことができ、無線通信端末のバッテリの消費も抑えることができる。さらに本実施の形態のようにハイブリッド方式の無線通信端末では、度重なるアイドルハンドオフの処理によって一方の通信システムが無線部２０を占有する時間を減らすことができ、他方の通信システムの通信スループットを向上させることができる。
【００３９】
次に、本発明の第２の実施の形態の無線通信端末について説明する。
【００４０】
従来の無線通信端末では、図５のように、一方のパイロット信号ＡのＣ／Ｉ値の状態が充分に大きく、他方のパイロット信号ＢのＣ／Ｉ値はパイロット信号Ａに比べて小さい場合においてパイロット信号Ａが瞬間的に途絶える「瞬断」が発生すると、この電波の瞬断の間は、パイロット信号ＡのＣ／Ｉ値が極めて小さくなり、パイロット信号ＢのＣ／Ｉ値がパイロット信号Ａに比べ大きくなるので、このときに通信品質を測定した無線通信端末はアイドルハンドオフが必要と判断しアイドルハンドオフを行う。しかし、瞬断が一時的なもので、パイロット信号Ａの通信品質が直ちに回復するとパイロット信号ＡのＣ／Ｉ値の方が大きくなり再びアイドルハンドオフが発生する。すなわち短時間の間に２度のアイドルハンドオフが発生してしまう。従ってパイロット信号Ａの瞬断がたびたび発生するような状況では頻繁にアイドルハンドオフが発生してしまう。
【００４１】
本発明の第２の実施の形態の無線通信端末では、上記のような電波の瞬断により短時間に複数回発生するアイドルハンドオフの頻度を少なくするようにアイドルハンドオフを行うか否かの判定方式を変更するようにした。
【００４２】
図３は、第２の実施の形態のアイドルハンドオフの設定の手順を示す。
【００４３】
ステップ２０１では、アイドルハンドオフがどのように発生したかを判別する。すなわち、上記のようにアイドルハンドオフが２度発生し、この際にパイロット信号が、パイロット信号Ａから他のパイロット信号（Ｘ）に切り替わり、次に他のパイロット信号（Ｘ）からパイロット信号Ａに切り戻ったか否かを判定する。パイロット信号が同一のパイロット信号に戻るように（Ａ−Ｘ−Ａと）切り替わっていると判定したならばステップ２０２に移行し、そうでない場合はステップ２０３に移行して通常のアイドルハンドオフの閾値に設定する。
【００４４】
ステップ２０２では、同一のパイロット信号に戻る間に見ていたパイロット信号Ｘに切り替わっていた時間と予め定めておいた値βとを比較する。そして比較した結果が、パイロット信号Ｘを見ていた時間がβよりも短ければステップ２０４に移行し、βよりも長ければステップ２０３に移行して通常のアイドルハンドオフの閾値に設定する。
【００４５】
ステップ２０４では、間欠受信状態であるかを判定する。間欠受信状態であればステップ２１０に移行し、間欠受信状態でなければステップ２０５に移行する。
【００４６】
ステップ２０５では、現在のパイロット信号Ａの通信品質（Ｃ／Ｉ値）と以前のパイロット信号Ｘの通信品質（Ｃ／Ｉ値）とを所定時間測定し記憶する。
【００４７】
次に、ステップ２０６で測定したパイロット信号Ａ及びパイロット信号ＸのＣ／Ｉ値の時間平均値を求め、ぞれぞれａ、ｘとする（ステップ２０６）。
【００４８】
次に、以前のパイロット信号ＸのＣ／Ｉ値の平均値ｘから予め設定した所定の値αを減算した値、ｘ’を求める（ステップ２０７）。このαは、アイドルハンドオフを行うか否かの判定を行う閾値である。例えば、現在見ているパイロット信号ＣのＣ／Ｉ値と他のパイロット信号ＤのＣ／Ｉ値との差が閾値αより大きくなるとパイロット信号Ｃからパイロット信号Ｄにアイドルハンドオフを行う処理をする。
【００４９】
次に、ｘ’とａとを比較し、ｘ’がａよりも大きければステップ２０９に移行しアイドルハンドオフが実行される。一方、ｘ’がａ以下であればステップ２０４に戻る（ステップ２０８）。このステップ２０８の処理では、以前のパイロット信号ＸのＣ／Ｉ値の平均値ｘから所定の閾値αを減算した値ｘ’が、現在のパイロット信号ＡのＣ／Ｉ値の平均値ａよりも大きい場合（ｘがａをα以上上回っていた場合）にのみアイドルハンドオフが必要と判断しアイドルハンドオフを行う。すなわち、アイドルハンドオフを行うか否かの判定をその時刻のＣ／Ｉ値で行うのではなく、所定時間内のＣ／Ｉ値の平均値によって行い、時間平均値が閾値αよりも大きくなればアイドルハンドオフを行うように処理するものである。
【００５０】
ステップ２０９では、アイドルハンドオフの処理を実行する。
【００５１】
また、ステップ２０４において間欠受信状態であると判定した場合は、ステップ２１０において、現在のパイロット信号Ａの通信品質（Ｃ／Ｉ値）と以前のパイロット信号Ｘの通信品質（Ｃ／Ｉ値）とを所定回数測定し記憶する
次に、ステップ２１０で測定したパイロット信号Ａ及びパイロット信号ＸのＣ／Ｉ値の所定回数の平均値を求め、それぞれａＭ、ｘＭとする。（ステップ２１１）。
【００５２】
次に、以前のパイロット信号ＸのＣ／Ｉ値の平均値ｘＭから予め設定した所定の値αを減算した値、ｘＭ’を求める（ステップ２１２）。このｘＭ’とａＭとを比較し、ｘＭ’がａＭよりも大きい場合はステップ２０９に移行してアイドルハンドオフの処理を行い、ｘＭ’がａＭ以下である場合にはステップ２０４に戻る（ステップ２１３）。すなわち、アイドルハンドオフを行うか否かの判定を１回の測定結果によるＣ／Ｉ値で行うのではなく、所定回数の測定により求められるＣ／Ｉ値の平均値によって行うものである。
【００５３】
本発明は、切り戻りのアイドルハンドオフが発生した場合、前回見ていたパイロット信号の時間が所定の時間より短く、かつ、現在見ているパイロット信号のＣ／Ｉ値の時間平均値が前回のパイロット信号のＣ／Ｉ値の時間平均値よりも所定の閾値だけ大きい場合にのみアイドルハンドオフを行うように処理する。また、間欠受信状態では、現在見ているパイロット信号のＣ／Ｉ値と前回見ていたパイロット信号のＣ／Ｉ値を所定回数測定することにより求められたＣ／Ｉ値の平均値で比較し、前回見ていたパイロット信号の方が現在見ているパイロット信号の方よりも所定の閾値以上になった場合にのみアイドルハンドオフを行うので、一方のパイロット信号の通信品質が他方のパイロット信号の通信品質よりも良いが、該一方のパイロット信号において瞬断が発生する状態でも、アイドルハンドオフが頻繁に起こらないようにすることができることから、第１の実施の形態と同様に、基地局及び無線通信端末の負担を減らすことができ、無線通信端末のバッテリの消費も抑えることができる。さらに本実施の形態のようにハイブリッド方式の無線通信端末では、アイドルハンドオフの処理によって一方の通信システムが無線部２０を占有する時間を減らすことができ、他方の通信システムの通信スループットを向上させることができる。
【００５４】
なお、第１及び第２の実施の形態の無線通信端末では、アイドルハンドオフを行うか否かの判定にＣ／Ｉ値を用いたが、これをＲＳＳＩ（受信信号強度）を用いてもよい。また、第１及び第２の実施の形態の無線通信端末では、ｃｄｍａ２０００  １ｘシステムと１ｘＥＶＤＯシステムとのハイブリッド方式の無線通信端末が両システムで待ち受けする状態を例示したが、これを他の通信方式を使用する無線通信端末に適応することもできる。
【００５５】
なお、閾値αは減算に限らず同じ作用を有するものであればよく、実施形態に限るものではない。
【００５６】
【発明の効果】
本発明によると、短時間に頻繁に発生するアイドルハンドオフの頻度を減少させることができる。これにより、基地局及び無線通信端末の負担を減らすことができ、無線通信端末のバッテリの消費も抑えることができ、さらに通信システムの通信スループットを向上させることができる。
【図面の簡単な説明】
【図１】本発明の第１の実施の形態の無線通信端末の構成を表したブロック図である。
【図２】本発明の第１の実施の形態における、アイドルハンドオフの処理手順を示すフローチャートである。
【図３】本発明の第２の実施の形態における、アイドルハンドオフの処理手順を示すフローチャートである。
【図４】従来の無線通信端末における、基地局の通信品質とアイドルハンドオフの関係を示したタイムチャートである。
【図５】同じく従来の無線通信端末における、基地局の通信品質とアイドルハンドオフの関係を示したタイムチャートである。
【符号の説明】
１０  アンテナ
２０  無線部
３０  切替部
４０  １ｘＥＶＤＯ無線処理部
５０  ｃｄｍａ２０００  １ｘ無線処理部
６０  ハイブリッド部
７０  メモリ
８０  表示部
９０  外部Ｉ／Ｏ
１００Ａ  基地局Ａ
１００Ｂ  基地局Ｂ
【図１】
2004228705.tif 000003
【図２】
2004228705.tif 000004
【図３】
2004228705.tif 000005
【図４】
2004228705.tif 000006
【図５】
2004228705.tif 000007